(57)【特許請求の範囲】
【請求項１】
回転刈刃（１３）を具備した自走可能な車体の後端部からハンドル（４０）を延出した芝刈機において、刈刃クラッチ（６１）のケーシング（６２）内には、エンジン（１１）側からの回転駆動力が入力される入力軸（６５）を挿入し、該入力軸（６５）の回転を回転刈刃（１３）側へ出力する出力軸（６６）を挿入し、該入力軸（６５）と出力軸（６６）の間に刈刃クラッチ（６１）を構成し、該エンジン（１１）からの入力軸（６５）への回転駆動力の入力は、走行クラッチによりオン・オフを切り換えるべく構成し、該刈刃クラッチ（６１）の操作を行う刈刃クラッチレバー（４２）を、該ハンドル（４０）に取り付け、該刈刃クラッチレバー（４２）の近傍に、車体の走行・停止を切り換える走行クラッチレバー（４５）を取り付け、該走行クラッチレバー（４５）がオン側へ操作されているときには、刈刃クラッチレバー（４２）のオン側への操作を規制する牽制機構を構成し、前記牽制機構は、該刈刃クラッチレバー（４２）と走行クラッチレバー（４５）の両方がオン側へ操作されている状態から、刈刃クラッチレバー（４２）のみをオフ側へ操作可能に構成したことを特徴とする芝刈機の刈刃クラッチ機構。
【請求項２】
請求項１記載の芝刈機の刈刃クラッチ機構において、前記牽制機構は、レバーストッパ（４７）と、刈刃クラッチレバー（４２）と一体的に回動する刈刃クラッチアーム（４２ａ）と、走行クラッチレバー（４５）と一体的に回動する走行クラッチアーム（４５ａ）とで構成し、該レバーストッパ（４７）は、固定部（４７ａ）と、該固定部（４７ａ）に対して回動可能な可動部（４７ｂ）とで構成し、該固定部（４７ａ）と可動部（４７ｂ）との成す角度θが小さくなる方向に、スプリング（４８）により該可動部（４７ｂ）を付勢し、該可動部（４７ｂ）には、走行アーム係止部（５１）と、該走行アーム係止部５１形成部分の左右反対側に、該可動部（４７ｂ）の回動支点（４７ｃ）からの寸法が走行アーム係止部（５１）よりも短い刈刃アーム係止部（５２）を形成し、該走行アーム係止部（５１）には走行クラッチレバー（４５）の走行クラッチアーム（４５ａ）を係合させ、刈刃アーム係止部（５２）には刈刃クラッチレバー（４２）の刈刃クラッチアーム（４２ａ）を係合すべく構成したことを特徴とする芝刈機の刈刃クラッチ機構。
【発明の詳細な説明】
【０００１】
【発明の属する技術分野】
本発明は、自走可能な車体の後端部からハンドルを延出した歩行型の芝刈機における、刈刃の駆動・停止を切り換えるための刈刃クラッチ機構に関する。
【０００２】
【従来の技術】
従来から、刈刃を具備した自走可能な車体の後端部からハンドルを延出した歩行型の芝刈機は知られており、該ハンドルを持って車体を走行させつつ、刈刃を駆動させて芝刈りを行うように構成されている。このような芝刈機においては、車体の走行・停止を切り換える走行クラッチの操作を行うための走行クラッチレバーがハンドルに取り付けられ、刈刃の駆動・停止を切り換える刈刃クラッチレバーが車体に取り付けられていた。
【０００３】
【発明が解決しようとする課題】
前述の如く、走行クラッチレバーがハンドルに取り付けられ、刈刃クラッチレバーが車体に取り付けられていたので、刈刃の駆動・停止を切り換える際には、ハンドルを持って車体の走行操作を行っている状態から、一旦走行クラッチをオフに切り換えて車体を停止させた後、車体側へ移動して刈刃クラッチレバーを操作する必要があった。つまり、芝刈り作業時においては芝の端部で反転するときにはハンドルを下げて刈刃を浮かせて旋回して回行し、次の位置を刈るようにしていたが、刈取作業を終了して走行のみさせるときには、車体側へ移動して刈刃クラッチレバーを「切」側に回動しなければならなかった。
従って、刈刃の駆動・停止の切り換え作業が煩雑になるとともに、車体を走行させて芝刈り作業中に刈刃の駆動のみを停止させる場合や、回行時に前方側に障害物があり刈刃が当たりそうな場合等ではハンドルを持ちながら瞬時に刈刃を一時停止ができなかった。
【０００４】
【課題を解決するための手段】
本発明の解決しようとする課題は以上の如くであり、次に該課題を解決するための手段を説明する。
【０００５】
請求項１においては、回転刈刃（１３）を具備した自走可能な車体の後端部からハンドル（４０）を延出した芝刈機において、刈刃クラッチ（６１）のケーシング（６２）内には、エンジン（１１）側からの回転駆動力が入力される入力軸（６５）を挿入し、該入力軸（６５）の回転を回転刈刃（１３）側へ出力する出力軸（６６）を挿入し、該入力軸（６５）と出力軸（６６）の間に刈刃クラッチ（６１）を構成し、該エンジン（１１）からの入力軸（６５）への回転駆動力の入力は、走行クラッチによりオン・オフを切り換えるべく構成し、該刈刃クラッチ（６１）の操作を行う刈刃クラッチレバー（４２）を、該ハンドル（４０）に取り付け、該刈刃クラッチレバー（４２）の近傍に、車体の走行・停止を切り換える走行クラッチレバー（４５）を取り付け、該走行クラッチレバー（４５）がオン側へ操作されているときには、刈刃クラッチレバー（４２）のオン側への操作を規制する牽制機構を構成し、前記牽制機構は、該刈刃クラッチレバー（４２）と走行クラッチレバー（４５）の両方がオン側へ操作されている状態から、刈刃クラッチレバー（４２）のみをオフ側へ操作可能に構成したものである。
【０００６】
請求項２においては、請求項１記載の芝刈機の刈刃クラッチ機構において、
前記牽制機構は、レバーストッパ（４７）と、刈刃クラッチレバー（４２）と一体的に回動する刈刃クラッチアーム（４２ａ）と、走行クラッチレバー（４５）と一体的に回動する走行クラッチアーム（４５ａ）とで構成し、該レバーストッパ（４７）は、固定部（４７ａ）と、該固定部（４７ａ）に対して回動可能な可動部（４７ｂ）とで構成し、該固定部（４７ａ）と可動部（４７ｂ）との成す角度θが小さくなる方向に、スプリング（４８）により該可動部（４７ｂ）を付勢し、該可動部（４７ｂ）には、走行アーム係止部（５１）と、該走行アーム係止部５１形成部分の左右反対側に、該可動部（４７ｂ）の回動支点（４７ｃ）からの寸法が走行アーム係止部（５１）よりも短い刈刃アーム係止部（５２）を形成し、該走行アーム係止部（５１）には走行クラッチレバー（４５）の走行クラッチアーム（４５ａ）を係合させ、刈刃アーム係止部（５２）には刈刃クラッチレバー（４２）の刈刃クラッチアーム（４２ａ）を係合すべく構成したものである。
【０００７】
【発明の実施の形態】
次に、本発明の実施の形態を説明する。
【０００８】
図１は本発明の刈刃クラッチ機構を具備する芝刈機を示す斜視図、図２はハンドルにおける走行クラッチレバー及び刈刃クラッチレバーの取り付け部を示す後面図、図３は走行クラッチレバーをオフ側へ回動操作した状態の走行クラッチレバーのハンドルへの取付部を示す側面図、図４は走行クラッチレバー及び刈刃クラッチレバーをオフ側へ回動操作した状態の刈刃クラッチレバーのハンドルへの取付部を示す側面図、図５は走行クラッチレバーをオン側へ回動操作し刈刃クラッチレバーをオフ側へ回動操作した状態の刈刃クラッチレバーのハンドルへの取付部を示す側面図である。
【０００９】
図６はレバーストッパを示す正面図、図７は同じく側面図、図８は走行クラッチ及び刈刃クラッチレバーがオン側へ回動操作された状態から刈刃クラッチレバーをオフ側へ回動操作したときの刈刃クラッチレバーのハンドルへの取付部を示す側面図、図９は刈刃クラッチを示す側面断面図、図１０は刈刃クラッチのオフ側に回動された状態の刈刃クラッチブラケットを示す平面図、図１１は刈刃クラッチのオン側に回動された状態の刈刃クラッチブラケットを示す平面図、図１２は刈刃クラッチシャフトを示す側面図、図１３は同じく底面図である。
【００１０】
本発明の刈刃クラッチ機構を具備する芝刈機の全体構成について説明する。図１に示す芝刈機においては、車体１の後部には左右一対の移動用車輪３が取り付けられ、該移動用車輪３は車体１に搭載されるエンジン１１により回転駆動可能とされているとともに、作業場所への移動は該移動用車輪３を使用し、芝刈り作業時には移動用車輪３を取り外して、移動用車輪３の間に同軸上に設けられている小径の後部ローラ（図示せず）を使用する。車体１の前部には前ローラ５が設けられ、該前ローラ５は左右一対の前ローラ支持部材４により車体１に対して昇降可能に支持されて刈り高さを調節できるようにしている。
【００１１】
また、車体１には、螺旋状に曲げて形成される刃物を適当枚数組み合わせて構成されるリール式の回転刈刃１３が左右に横設され、エンジン１により該回転刈刃１３を回転駆動可能としている。さらに、回転刈刃１３と前ローラ５との間には、多数の垂直刃３６が左右に並設されている。
【００１２】
車体１の後端部にはハンドル４０が取り付けられており、車体１から後斜上方に延出している。該ハンドル４０の先端部に配置される把持部４０ｂの近傍には、エンジン１１の回転数を調節するアクセルレバー４１、及び移動用車輪３を制動するブレーキ装置を作動させるブレーキレバー４３が取り付けられている。また、該ハンドル４０の支持部４０ａには、エンジン１１と移動用車輪３を支持する軸との間に介在される走行クラッチのオン・オフ操作を行うための走行クラッチレバー４５、及び、エンジン１１と回転刈刃１３との間に介在される刈刃クラッチ６１（図９図示）のオン・オフ操作を行うための刈刃クラッチレバー４２が取り付けられている。該刈刃クラッチレバー４２を、走行クラッチレバー４５と共にハンドル４０に取り付けることで、刈刃クラッチ６１のオン・オフ操作をするために一旦車体１を停止させ、わざわざ該車体１側へ移動する必要がなくなり、手元で操作することが可能となるので、操作を簡便として操作性の向上を図ることができる。但し、刈刃クラッチレバー４２と走行クラッチレバー４５はハンドル４０の近傍に位置してればその取付位置は限定するものではない。
【００１３】
このように構成した芝刈機においては、エンジン１１により移動用車輪３と同軸上に設置されている後部ローラを、回転駆動して車体１を走行させるとともに、回転刈刃１３及び垂直刃３６を互いに反対方向に回転駆動させて芝刈りを行うようにしている。この場合、車体１の走行に伴って従動回転する前ローラ５により押え付けられた芝が、該前ローラ５と逆回転する垂直刃３６によりかき立てられ、このかき立てられた芝が直ちに回転刈刃１３により切断されて水平刈りが行われる。また、垂直刃３６により垂直刈りが行われ、長いまま横に寝ている葉や、横に低く生え広がった茎葉が切断されるとともに、地表に蓄積されたサツチ（枯れた芝や刈り屑等を主とする有機物残渣）が掻き出される。
【００１４】
次に、ハンドル４０に取り付けられた前記走行クラッチレバー４５及び刈刃クラッチレバー４２の部分の構成について説明する。図２乃至図４に示すように、走行クラッチレバー４５はハンドル４０の支持部４０ａの上部（把持部４０ｂ側部）に回動自在に取り付けられ左右一側に突出しており、刈刃クラッチレバー４２はハンドル４０の支持部４０ａに回動自在に取り付けられ左右他側に突出している。該走行クラッチレバー４５の回動支点部４５ｂには走行クラッチアーム４５ａが一体的に回動可能に固設され、刈刃クラッチレバー４２の回動支点部４２ｂには刈刃クラッチアーム４２ａが一体的に回動可能に固設されている。
【００１５】
また、ハンドル４０の支持部４０ａにおける、走行クラッチレバー４５及び刈刃クラッチレバー４２よりも把持部４０ｂ側には、ストッパブラケット４６を介してレバーストッパ４７が固設されている。図２、図６、図７に示すように、レバーストッパ４７は、ストッパブラケット４６に固設される固定部４７ａと、該固定部４７ａに対して回動可能な可動部４７ｂとで構成されている。
【００１６】
レバーストッパ４７の一面Ａ側における固定部４７ａと可動部４７ｂとの成す角度をθとすると（図４）、該可動部４７ｂは、スプリング４８により固定部４７ａに対して角度θが小さくなる方向に付勢されている。可動部４７ｂの回動範囲は、固定部４７ａと可動部４７ｂとが側面視にて略直線状となる状態（図７に示す状態）が角度θの最小値となるように規制されており、該可動部４７ｂは、この状態から角度θが大きくなる方向に回動可能とされている。即ち、可動部４７ｂは、図７に示す状態から他面Ｂ側の方向に回動可能とされており、可動部４７ｂに力がかかってない状態においては、該可動部４７ｂは、スプリング４８により角度θが最小となるように付勢されている。
【００１７】
前記走行クラッチレバー４５及び刈刃クラッチレバー４２は、下方（車体１側）へ回動操作すると、それぞれ走行クラッチ及び刈刃クラッチ６１がオフとされ、上方（把持部４０ｂ側）へ回動操作すると、それぞれ走行クラッチ及び刈刃クラッチ６１がオンされるように構成されている。該走行クラッチレバー４５の回動支点部４５ｂ及び走行クラッチアーム４５ａ、並びに刈刃クラッチレバー４２の回動支点部４２ｂ及び刈刃クラッチアーム４２ａは、支持部４０ａに固設されたレバーストッパ４７の一面Ａ側に配置されている。
【００１８】
そして、図３に示すように、走行クラッチレバー４５を走行クラッチがオフとなる側に回動操作すると、一体的に回動する走行クラッチアーム４５ａが一面Ａ側からレバーストッパ４７の可動部４７ｂにおける走行アーム係止部５１を押して、角度θが大きくなる方向へ該可動部４７ａを回動させる。一方、走行クラッチレバー４５を走行クラッチがオンとなる側に回動操作すると、走行クラッチアーム４５ａも一体的に回動して可動部４７ｂの走行アーム係止部５１から離れ、該可動部４７ｂは角度θが最小となるまで一面Ａ側に回動する。
【００１９】
尚、走行クラッチアーム４５ａには走行クラッチ側に設けられたスプリング（図示せず）を介してワイヤＷが接続されており、走行クラッチレバー４５を走行クラッチがオフとなる側に回動操作した場合は、該走行クラッチレバー４５は、ワイヤＷを介してスプリングにより付勢されて走行クラッチがオフとなる側の回動操作位置に保持され、逆に走行クラッチレバー４５を走行クラッチがオンとなる側に回動操作した場合は、該走行クラッチレバー４５は、支点越えにより付勢されて走行クラッチがオンとなる側の回動操作位置に保持されるように構成されている。
【００２０】
また、図６に示すように、可動部４７ｂにおける走行アーム係止部５１形成部分の左右反対側には、該可動部４７ｂの回動支点４７ｃからの寸法が走行アーム係止部５１よりも短い刈刃アーム係止部５２が形成されている。そして、刈刃クラッチレバー４２が刈刃クラッチ６１がオフとなる側に回動操作されるとともに、走行クラッチがオンとなる側に走行クラッチレバー４５が回動操作されて、レバーストッパ４７の可動部４７ｂが、角度θが最小となるまで一面Ａ側に回動した状態においては、図５に示すように、刈刃クラッチレバー４２を刈刃クラッチ６１がオンとなる側に回動操作しようとすると、刈刃クラッチアーム４２ａの先端部が刈刃アーム係止部５２に係止して、その回動が阻止される。即ち、走行クラッチがオンされているときには、刈刃クラッチレバー４２のオン側への操作を規制して、刈刃クラッチ６１がオンされることを防止している。
【００２１】
逆に、刈刃クラッチレバー４２が刈刃クラッチ６１がオフとなる側に回動操作されるとともに、走行クラッチがオフとなる側に走行クラッチレバー４５が回動操作されて、レバーストッパ４７の可動部４７ｂが走行クラッチアーム４５ａにより角度θが大きくなる他面Ｂ側に回動された状態においては、図４に示すように、走行アーム係止部５１より短く形成された刈刃アーム係止部５２は、刈刃クラッチアーム４２ａを係止することはなく、刈刃クラッチレバー４２をオン側へ操作することが可能となる。
【００２２】
このように、本芝刈機においては、走行クラッチがオンされる側に走行クラッチレバー４５を回動操作しているときには、刈刃クラッチレバー４２をオン側へ操作できないように規制し、該走行クラッチレバー４５を走行クラッチがオフとなる側に回動操作している場合のみ、刈刃クラッチレバー４２を、刈刃クラッチ６１がオンされる側へ操作することができるようにした牽制機構を構成している。尚、刈刃クラッチアーム４２ａには後述する刈刃クラッチ６１側に設けられたスプリング７３・７４を介してワイヤＷが接続されており、刈刃クラッチレバー４２を刈刃クラッチ６１がオフとなる側に回動操作した場合は、該刈刃クラッチレバー４２は、ワイヤＷを介してスプリング７３・７４により付勢されて刈刃クラッチ６１がオフとなる側の回動操作位置に保持され、逆に刈刃クラッチレバー４２を刈刃クラッチ６１がオンとなる側に回動操作した場合は、該刈刃クラッチレバー４２は、支点越えにより刈刃クラッチ６１がオンとなる側の回動操作位置に保持されるように構成されている。
【００２３】
また、走行クラッチレバー４５及び刈刃クラッチレバー４２が共にオン側へ回動操作されている場合には、レバーストッパ４７の可動部４７ｂは角度θが最小となるように回動されており、この状態から刈刃クラッチレバー４２をオフ側へ回動操作すると、図８に示すように、刈刃クラッチアーム４２ａの先端部が可動部４７ｂの刈刃アーム係止部５２に当接する。しかし、該可動部４７ｂは角度θが大きくなる方向には回動可能に構成されており、刈刃クラッチアーム４２ａはスプリング４８の付勢力に抗して可動部４７ｂを押しながら回動することができるので、刈刃クラッチレバー４２をオフ側へ回動操作することが可能となっている。
【００２４】
また、この牽制機構は、走行クラッチレバー４５と一体的に回動する走行クラッチアーム４５ａと、刈刃クラッチアーム４２と一体的に回動する刈刃クラッチアーム４２ａと、可動部４７ｂが前記角度θの小さくなる方向に付勢されるレバーストッパ４７とにより構成されている。
【００２５】
次に、前記刈刃クラッチ６１の構成について説明する。図９、図１０に示すように、刈刃クラッチ６１のケーシング６２内には、エンジン１１側からの回転駆動力が入力される入力軸６５が挿入されるとともに、回転駆動力を回転刈刃１３及び垂直刃３６側へ出力する出力軸６６が挿入されている。エンジン１１からの入力軸６５への回転駆動力の入力は、走行クラッチによりオン・オフが切り換えられるように構成されている。ケーシング６２内において、入力軸６５の端部には入力側クラッチギア６７が一体的に回転可能に取り付けられ、出力軸６６の端部には出力側クラッチギア６８が一体的に回転可能に取り付けられており、該入力側クラッチギア６７と出力側クラッチギア６８とが対向して配置されている。また、入力軸６５には一体的に回転可能なスプロケット７０が固設されており、該スプロケット７０により、チェーン等を介して回転駆動力を移動用車輪３へ伝達するようにしている。
【００２６】
ケーシング６２には刈刃クラッチシャフト６９が回転自在に貫通しており、該ケーシング６２内に位置する該刈刃クラッチシャフト６９の下端部から突出するピン６９ａが、前記出力側クラッチギア６８の外周に形成される溝部６８ａに嵌入している。図１２、図１３に示すように、刈刃クラッチシャフト６９の下端から突出するピン６９ａは、該刈刃クラッチシャフト６９の軸心に対して偏心して設けられており、該刈刃クラッチシャフト６９の上部には、略Ｌ字状に形成されるシャフト操作レバー６９ｂの水平部が嵌入している
【００２７】
また、図１０、図１１に示すように、ケーシング６２には、刈刃クラッチブラケット７１が回動支点７２を中心にして回動自在に取り付けられており、該刈刃クラッチブラケット７１の一端部には長孔７１ａが形成されている。該長孔７１ａには前記シャフト操作レバー６９ｂの垂直部が摺動自在に嵌入している。
【００２８】
刈刃クラッチブラケット７１における、回動支点７２と長孔７１ａとの間には、ワイヤＷの一端部が接続されるとともに圧縮バネ７４が接続され、該刈刃クラッチブラケット７１の一端側（回動支点７２よりも長孔７１ａ形成部側）は、圧縮バネ７４により反圧縮バネ７４側に付勢されている。また、刈刃クラッチブラケット７１の他端部には引張バネ７３が接続されており、該刈刃クラッチブラケット７１の他端側が、引張バネ７３により該引張バネ７３側へ付勢されている。
【００２９】
ワイヤＷは、他端部が前記刈刃クラッチアーム４２ａに接続されており、刈刃クラッチレバー４２をオン側へ回動操作すると、刈刃クラッチアーム４２ａによりワイヤＷが引張られ、図１１に示すように、該ワイヤＷの引張りにより刈刃クラッチブラケット７１の一端側が圧縮バネ７４方向へ回動されることとなる。
【００３０】
刈刃クラッチレバー４２がオフ側へ回動操作されている状態にあっては、刈刃クラッチブラケット７１は、圧縮バネ７４及び引張バネ７３の付勢力により、図１０に示す如く、一端側が反圧縮バネ７４方向に回動した状態となっている。この状態においては、図９に示すように、入力側クラッチギア６７と出力側クラッチギア６８とは噛み合っておらず、刈刃クラッチ６１はオフされた状態となって、入力軸６５の回転駆動力は、出力軸６６に伝達されない。
【００３１】
この状態から、刈刃クラッチレバー４２をオン側へ回動操作すると、刈刃クラッチブラケット７１の一端側が、圧縮バネ７４及び引張バネ７３の付勢力に抗して該圧縮バネ７４方向へ回動され、該刈刃クラッチブラケット７１の長孔７１ａに嵌入されたシャフト操作レバー６９ｂを介して刈刃クラッチシャフト６９が略１８０°回動される（図１０に示す状態から図１１に示す状態まで回動される）。この刈刃クラッチシャフト６９の回動により、該刈刃クラッチシャフト６９の軸心に対して偏心して設けられているピン６９ａが入力軸６５側に移動して、該ピン６９ａが嵌入している出力側クラッチギア６８と入力側クラッチギア６７とが噛み合い、刈刃クラッチ６１がオンされて、入力軸６５の回転駆動力が出力軸６６に伝達される。
【００３２】
また、この刈刃クラッチ６１がオンされている状態から、刈刃クラッチレバー４２をオフ側へ回動操作すると、刈刃クラッチブラケット７１の一端側におけるワイヤＷによる引張り力が無くなって、圧縮バネ７４及び引張バネ７３の付勢力により、該刈刃クラッチブラケット７１の一端側が反圧縮バネ７４方向に自動的に回動して刈刃クラッチ６１がオフされる
【００３３】
このように、刈刃クラッチ６１には、圧縮バネ７４及び引張バネ７３によりオフ側に付勢され刈刃クラッチブラケット７１を設け、該刈刃クラッチブラケット７１と刈刃クラッチレバー４２とをワイヤＷにて接続して、該刈刃クラッチレバー４２のオン側へ操作すると、刈刃クラッチブラケット７１が連動して刈刃クラッチ６１をオン側へ切り換えるとともに、刈刃クラッチレバー４２をオフ側へ操作すると、圧縮バネ７４及び引張バネ７３の付勢力により刈刃クラッチ６１が自動的にオフ側へ切り換えられるように構成している。
【００３４】
このような構成とすることで、刈刃クラッチ６１をオン・オフさせる機構を簡単な機構に構成しながら、確実にオン側及びオフ側への切換操作を行うことが可能となり、誤操作を防止することができる。尚、刈刃クラッチブラケット７１をオン側へ付勢するように構成して、刈刃クラッチレバー４２をオフ側へ操作するとワイヤＷにより刈刃クラッチブラケット７１がオフ側へ回動操作され、刈刃クラッチレバー４２をオン側へ操作すると付勢力により刈刃クラッチブラケット７１が自動的にオン側へ回動操作されるようにすることもできる。
【００３５】
また、本芝刈機においては、前述の如く、走行クラッチレバー４５がオン側へ操作されているときには、刈刃クラッチレバー５２のオン側への操作を規制する牽制機構が構成されているので、走行クラッチレバー４５がオン側へ操作されて刈刃クラッチ６１の入力軸６５が回転駆動されている状態で入力側クラッチギア６７と出力側クラッチギア６８とが噛み合うことがなく、該クラッチギア６７・６８等が破損することを防止することができる。
【００３６】
さらに、該牽制機構は、刈刃クラッチレバー４２と走行クラッチレバー４５との両方がオン側へ操作されている状態から、刈刃クラッチレバー４２のみをオフ側へ操作可能に構成されているので、車体１を走行させながら回転刈刃１３や垂直刃３６を駆動させての芝刈作業中に、回転刈刃１３や垂直刃３６のみを停止させて、車体１を走行させたままの状態で芝刈を中断することが可能となる。
【００３７】
また、牽制機構は、前記レバーストッパ４７と、刈刃クラッチレバー４２と一体的に回動する刈刃クラッチアーム４２ａと、走行クラッチレバー４５と一体的に回動する走行クラッチアーム４５ａといった簡単な機構で構成されており、安価且つ故障の少ない高信頼性の機構に構成することができる。
【００３８】
【発明の効果】
本発明は以上の如く構成したので、次のような効果を奏するのである。
請求項１記載の如く、回転刈刃（１３）を具備した自走可能な車体の後端部からハンドル（４０）を延出した芝刈機において、刈刃クラッチ（６１）のケーシング（６２）内には、エンジン（１１）側からの回転駆動力が入力される入力軸（６５）を挿入し、該入力軸（６５）の回転を回転刈刃（１３）側へ出力する出力軸（６６）を挿入し、該入力軸（６５）と出力軸（６６）の間に刈刃クラッチ（６１）を構成し、該エンジン（１１）からの入力軸（６５）への回転駆動力の入力は、走行クラッチによりオン・オフを切り換えるべく構成し、該刈刃クラッチ（６１）の操作を行う刈刃クラッチレバー（４２）を、該ハンドル（４０）に取り付け、該刈刃クラッチレバー（４２）の近傍に、車体の走行・停止を切り換える走行クラッチレバー（４５）を取り付け、該走行クラッチレバー（４５）がオン側へ操作されているときには、刈刃クラッチレバー（４２）のオン側への操作を規制する牽制機構を構成し、前記牽制機構は、該刈刃クラッチレバー（４２）と走行クラッチレバー（４５）の両方がオン側へ操作されている状態から、刈刃クラッチレバー（４２）のみをオフ側へ操作可能に構成したので、刈刃クラッチのオン・オフ操作をするために一旦車体を停止させ、わざわざ該車体側へ移動する必要がなくなり、手元で操作することが可能となるので、操作を簡便として操作性の向上を図ることができる。
【００３９】
また、前記ハンドルにおける刈刃クラッチレバーの近傍に、車体の走行・停止を切り換える走行クラッチの操作を行う走行クラッチレバーを取り付け、該走行クラッチレバーがオン側へ操作されているときには、刈刃クラッチレバーのオン側への操作を規制する牽制機構を構成したので、走行クラッチレバーがオン側へ操作されて刈刃クラッチの入力軸が回転駆動されている状態で刈刃クラッチを構成する入力側クラッチギアと出力側クラッチギアとが噛み合うことがなく、該クラッチギア等の構成部材が破損することを防止することができる。
【００４０】
また、前記牽制機構は、刈刃クラッチレバーと走行クラッチレバーとの両方がオン側へ操作されている状態から、刈刃クラッチレバーのみをオフ側へ操作可能に構成されるので、車体を走行させながら回転刈刃や垂直刃等の刈刃を駆動させての芝刈作業中に、該刈刃のみを停止させて、車体を走行させたままの状態で芝刈を中断することが可能となる。
【００４１】
請求項２の如く、前記牽制機構は、レバーストッパ（４７）と、刈刃クラッチレバー（４２）と一体的に回動する刈刃クラッチアーム（４２ａ）と、走行クラッチレバー（４５）と一体的に回動する走行クラッチアーム（４５ａ）とで構成し、該レバーストッパ（４７）は、固定部（４７ａ）と、該固定部（４７ａ）に対して回動可能な可動部（４７ｂ）とで構成し、該固定部（４７ａ）と可動部（４７ｂ）との成す角度θが小さくなる方向に、スプリング（４８）により該可動部（４７ｂ）を付勢し、該可動部（４７ｂ）には、走行アーム係止部（５１）と、該走行アーム係止部５１形成部分の左右反対側に、該可動部（４７ｂ）の回動支点（４７ｃ）からの寸法が走行アーム係止部（５１）よりも短い刈刃アーム係止部（５２）を形成し、該走行アーム係止部（５１）には走行クラッチレバー（４５）の走行クラッチアーム（４５ａ）を係合させ、刈刃アーム係止部（５２）には刈刃クラッチレバー（４２）の刈刃クラッチアーム（４２ａ）を係合すべく構成したので、牽制機構を簡単な機構で構成することができ、安価且つ故障の少ない高信頼性の機構に構成することができる。
【図面の簡単な説明】
【図１】  本発明の刈刃クラッチ機構を具備する芝刈機を示す斜視図である。
【図２】  ハンドルにおける走行クラッチレバー及び刈刃クラッチレバーの取り付け部を示す後面図である。
【図３】  走行クラッチレバーをオフ側へ回動操作した状態の走行クラッチレバーのハンドルへの取付部を示す側面図である。
【図４】  走行クラッチレバー及び刈刃クラッチレバーをオフ側へ回動操作した状態の刈刃クラッチレバーのハンドルへの取付部を示す側面図である。
【図５】  走行クラッチレバーをオン側へ回動操作し刈刃クラッチレバーをオフ側へ回動操作した状態の刈刃クラッチレバーのハンドルへの取付部を示す側面図である。
【図６】  レバーストッパを示す正面図である。
【図７】  同じく側面図である。
【図８】  走行クラッチ及び刈刃クラッチレバーがオン側へ回動操作された状態から刈刃クラッチレバーをオフ側へ回動操作したときの刈刃クラッチレバーのハンドルへの取付部を示す側面図である。
【図９】  刈刃クラッチを示す側面断面図である。
【図１０】  刈刃クラッチのオフ側に回動された状態の刈刃クラッチブラケットを示す平面図である。
【図１１】  刈刃クラッチのオン側に回動された状態の刈刃クラッチブラケットを示す平面図である。
【図１２】  刈刃クラッチシャフトを示す側面図である。
【図１３】  同じく底面図である。
【符号の説明】
１  車体
３  移動用車輪
１１  エンジン
１３  回転刈刃
３６  垂直刃
４０  ハンドル
４２  刈刃クラッチレバー
４２ａ  刈刃クラッチアーム
４５  走行クラッチレバー
４５ａ  走行クラッチアーム
４７  レバーストッパ
６１  刈刃クラッチ
６９  刈刃クラッチシャフト
７１  刈刃クラッチブラケット
Ｗ  ワイヤ
【図１】
0003921026.tif 000002
【図２】
0003921026.tif 000003
【図３】
0003921026.tif 000004
【図４】
0003921026.tif 000005
【図５】
0003921026.tif 000006
【図６】
0003921026.tif 000007
【図７】
0003921026.tif 000008
【図８】
0003921026.tif 000009
【図９】
0003921026.tif 000010
【図１０】
0003921026.tif 000011
【図１１】
0003921026.tif 000012
【図１２】
0003921026.tif 000013
【図１３】
0003921026.tif 000014